(57)【要約】【課題】各人の骨格や眉丘筋の形を活かした不自然さのない理想的な眉形を容易に描けるようにする眉メイク補助具を提供する。【解決手段】眉メイク補助具１０Ａが、人の顔面に被着し、左右の眉尻に亘る長さを有する帯状部材１１と、該帯状部材１１を眉領域に被着させるための係止部材１２を備える。この帯状部材１１は、好ましくは透明な可撓性材料から立体成型されたものであり、中心指示部１３、眉頭下２から眉山下５の眉の下側ライン６のテンプレートとなるガイド部１４、及び長手方向に付された目盛り１６を有し、さらに人の顔面に被着した状態で、その人の眉山４の位置をその人の顔面にマークできるようにする幅狭部１５又はマーク用孔部１８を有する。【選択図】図２
2009028134.tif 000002
【特許請求の範囲】
【請求項１】
人の顔面に被着し、左右の眉尻に亘る長さを有する帯状部材と、該帯状部材を眉領域に被着させるための係止部材を備えた眉メイク補助具であって、
該帯状部材は、中心指示部、眉頭下から眉山下の眉の下側ラインのテンプレートとなるガイド部、及び長手方向に付された目盛りを有し、さらに
人の顔面に被着した状態で、その人の眉山の位置をその人の顔面にマークできるようにする幅狭部又はマーク用孔部を有する眉メイク補助具。
【請求項２】
ガイド部が、帯状部材の下縁部の輪郭として形成されている請求項１記載の眉メイク補助具。
【請求項３】
ガイド部が、帯状部材内の開口部の輪郭として形成されている請求項１記載の眉メイク補助具。
【請求項４】
帯状部材が、透明な可撓性材料からなり、人の顔面の湾曲に合わせて立体成型されている請求項１〜３のいずれかに記載の眉メイク補助具。
【請求項５】
請求項１〜４のいずれかに記載の眉メイク補助具を用いる眉メイク方法であって、
眉メイク補助具の中心指示部を人の眉間の中央線上に合わせると共に、ガイド部を眉頭下に合わせて眉メイク補助具を顔面に被着させ、眉頭下から眉山下にかけてのガイド部の輪郭、眉山とする位置及び眉尻とする位置を顔面にマークし、これらのマークを眉メイクの特徴点とする眉メイク方法。
【請求項６】
マークした位置の目盛りを記録しておき、再度眉メイク補助具を顔面に被着し、記録した目盛り位置で顔面にマークし、そのマークを眉メイクの特徴点とする請求項５記載の眉メイク方法。
【発明の詳細な説明】
【技術分野】
【０００１】
本発明は眉メイク補助具、及びそれを用いた眉メイク方法に関する。
【背景技術】
【０００２】
眉形は、人の表情に与える影響が非常に大きいため、従来より、鏡を見ながらフリーハンドで眉墨を用いて眉を描いたり、カミソリや鋏等で眉を整えることがなされている。また、眉の形を整えるための補助具も開発されており、顔面に被着する帯状部材に眉形を型抜きしたもの（特許文献１）や、顔面に被着する帯状プレートの下縁を所定の眉形の下側ラインに成形し、上縁を所定の眉形の上側ラインに成形したもの（特許文献２）等が提案されている。
【０００３】
【特許文献１】特開平９−７０３１８号公報
【特許文献２】特開平１１−１０３９３３号公報
【発明の開示】
【発明が解決しようとする課題】
【０００４】
従来の補助具は、その補助具に形成された抜き型又は外縁形状をテンプレートとして、所定の眉形を、その補助具を使用する全ての人に一様に描かせるものである。
【０００５】
しかしながら、一人一人に最適の眉形は、それぞれの骨格や眉丘筋の形によって異なる。そのため、従来のテンプレートを使用して描いた眉形は、不自然な印象を与える場合がある。
【０００６】
これに対し、本発明は、各人の骨格や眉丘筋の形を活かした不自然さのない理想的な眉形を容易に描けるようにすることを目的とする。
【課題を解決するための手段】
【０００７】
本発明者は、多数の日本人成人女性の眉形、眉丘筋の動き、骨格等を調査研究した結果、各人に理想的な眉形は、眉頭下から眉山下にかけての眉の下側のラインについては、調査対象とした略全ての女性に共通しており、一方、眉の上側のラインは、各人の本来の眉形をできるだけ活かした方が自然な印象となって好ましいこと、したがって、眉メイク補助具としては、眉頭下から眉山下にかけての眉の下側ラインについては、各人に共通する理想的な眉形のテンプレートを備えるが、眉の上側ラインについては、各人の本来の眉形を活かし、必要に応じて美容専門家のアドバイスも活かして眉形の特徴点をマークできるように構成するのが好ましいことを見出した。
【０００８】
即ち、本発明は、人の顔面に被着し、左右の眉尻に亘る長さを有する帯状部材と、該帯状部材を眉領域に被着させるための係止部材を備えた眉メイク補助具であって、
該帯状部材は、中心指示部、眉頭下から眉山下の眉の下側ラインのテンプレートとなるガイド部、及び長手方向に付された目盛りを有し、さらに、人の顔面に被着した状態で、その人の眉山の位置をその人の顔面にマークできるようにする幅狭部又はマーク用孔部を有する眉メイク補助具を提供する。
【０００９】
また、本発明は、この眉メイク補助具を用いる眉メイク方法であって、
眉メイク補助具の中心指示部を人の眉間の中央線上に合わせると共に、ガイド部を眉頭下に合わせて眉メイク補助具を顔面に被着させ、眉頭下の位置、眉メイク補助具の下縁部上の眉山下の位置、眉山とする位置及び眉尻とする位置を顔面にマークし、これらのマークを眉メイクの特徴点とする眉メイク方法を提供する。
【発明の効果】
【００１０】
本発明の眉メイク補助具によれば、その帯状部材を眉領域に被着させる係止部材を有するので、この眉メイク補助具を使用する者はハンズフリーとなり、両手で眉メイクを行うことができる。
【００１１】
また、本発明の眉メイク補助具によれば、眉頭下から眉山下の眉の下側ラインのテンプレートとなるガイド部を有するので、この眉メイク補助具を顔面に被着し、眉頭下から眉山下にかけてガイド部に沿って眉を描いたり整えたりすることにより、容易に理想的な眉の下側ラインを左右対称で自然な印象につくることができる。
【００１２】
一方、この眉メイク補助具には、これを被着した各人の眉山の位置を顔面にマークすることができるように、幅狭部又はマーク用孔部が形成されている。したがって、その人の眉山の位置をそのまま顔面にマークすることができ、あるいは好みに応じて眉山の高さを変えて眉山とする位置をマークすることができ、さらに、美容専門家等からアドバイスされた眉山の位置を顔面にマークすることもできる。また、眉尻の位置についても、顔面に被着した帯状部材の位置を適宜ずらすことにより、本来の位置、好みに応じて眉の長さや上下方向をずらした位置、美容専門家等からアドバイスを受けた位置等をマークすることができる。
【００１３】
したがって、これらのマークを眉メイクの特徴点とすることにより、各人にとって自然で理想的な眉形を容易に作ることが可能となる。
【発明を実施するための最良の形態】
【００１４】
以下、図面を参照しつつ、本発明を詳細に説明する。なお、各図中、同一符号は同一又は同等の構成要素を表している。
【００１５】
図１は、本発明の一実施例の眉メイク補助具１０Ａの斜視図であり、図２はこれを人の顔面に被着させた状態の模式図である。
【００１６】
なお、図２に示すように、本発明において、眉頭下２とは、眉１の眉間３側末端の下側の部位をいい、眉山４とは、眉頭下２と眉尻７との距離の眉尻７側から略１／３上にある眉の上端の部位をいい、眉山下５とは、眉山４から下ろした線Ｌ1 が、眉メイク補助具のガイド部１４と交わる部位をいい、眉尻７とは、眉１のこめかみ側末端の部位をいう。
【００１７】
この眉メイク補助具１０Ａは、図２に示すように、人の顔面の眉領域と重なるように被着する帯状部材１１と、この帯状部材１１を顔面に被着させ、固定するための係止部材１２を備えている。
【００１８】
帯状部材１１は、同図のように人の顔面に被着した場合に、左右の眉尻７に亘る長さを有している。帯状部材１１としては、顔面に被着した際に顔面に密着するように、単に平板状部材を所定の外形に打ち抜いたものではなく、眉付近の顔面の湾曲を原型として三次元的に立体成型したものが好ましい。この場合、原型としては、多数の日本人成人女性の平均的な頭部型を使用すればよい。
【００１９】
また、帯状部材１１は中央部が下側に突出し、この部分が中心指示部１３となっており、この中心指示部を中心として帯状部材１１は左右対称に形成されている。
【００２０】
図２に示すように、この眉メイク補助具１０Ａは、人の顔面に被着した場合に、眉頭下２から眉山下５にかけての眉の下側ライン６に対応する帯状部材１１の下縁部の形状が、理想的な眉形の輪郭を有するガイド部１４となっている。
【００２１】
このガイド部１４の輪郭形状は、日本人成人女性の略全てに適用できる眉頭下２から眉山下５にかけての理想的な眉の下側ラインのテンプレートとなる。この輪郭形状は、多数の日本人成人女性のそれぞれに対して美容専門家が理想的な眉形を描いた場合に、この部位に略共通する形状として得られるものであり、より具体的には、そのように描かれた眉形のこの部分の平均的形状とすることができ、通常、半径４０〜９０ｍｍ、より好ましくは５５〜７５ｍｍの曲線となる。なお、この部分の理想的な輪郭形状が日本人成人女性の略全てに共通していることは、本発明者が見出したものである。
【００２２】
帯状部材１１の上縁部の外形は、図２に示すように人の顔面に被着させた場合に、その人の眉山４の近傍にあたる領域が凹んで幅狭部１５を形成しており、帯状部材１１を被着したまま、眉山４の位置を顔面にアイブローペンシル等でマークすることを可能としている。なお、帯状部材１１全体を幅狭に形成することなく、この領域のみを幅狭に形成することにより、帯状部材１１を顔面に被着した際の眉メイク補助具１０Ａの位置ズレを防止することができ、また眉メイク補助具１０Ａの保形性を向上させることができる。
【００２３】
また、帯状部材１１は、長手方向に付された目盛り１６を有している。
【００２４】
帯状部材１１の形成材料としては、眉領域に被着した際に、少なくとも眉１を上から透視できる程度に透明で、柔軟性のある可撓性材料とすることが好ましく、より具体的には、シリコーンエラストマ等をあげることができる。この他、塩化ビニル等の一般的な樹脂を、柔軟性がでるように薄く成形したものを用いてもよい。
【００２５】
一方、係止部材１２は、後頭部に回る伸縮性バンド、ベルト、紐等から形成することができ、必要に応じて、長さ調整や脱着のために面ファスナー、スナップ、ホック等を取り付けたものが好ましい。このような係止部材１２を用いて帯状部材１１を顔面に被着させることにより、両手をフリーにして眉を描くことが可能となる。
【００２６】
この眉メイク補助具１０Ａを使用する眉メイク方法としては、まず、眉メイク補助具１０Ａの中心指示部１３を、眉メイクをしようとするユーザーの眉間３の中央線Ｌ2 上に合わせると共に、ガイド部１４をそのユーザーの眉頭下２に合わせて眉メイク補助具１０Ａを顔面に被着させる。次に、図３に示すように、眉頭下２から眉山下５にかけての眉の下側ライン６として、ガイド部１４の輪郭をアイブローペンシル等で破線のようになぞることによりマークする。あるいは、眉頭下２と眉山下５の双方に点をうつことによりガイド部１４の輪郭をマークしてもよい。
【００２７】
眉メイクにおいて眉山４’とする位置は、ユーザー本来の眉山４の位置をマークすることが好ましいが、好みにより眉を太く又は細くするために、ユーザー本来の眉山４の位置よりも若干高い位置又は低い位置にマークしてもよい。
【００２８】
眉メイクにおいて眉尻７’とする位置も、ユーザー本来の眉尻７の位置をマークすることが好ましいが、好みにより眉を上がり形に若しくは垂れ形に、又は長く若しくは短くするために、ユーザー本来の眉尻７の位置よりも若干上下左右にずらした位置にマークしてもよい。なお、一般には、眉尻７’は、眉頭下２よりも下にしないことが好ましい。
【００２９】
次に、これらのマークを眉メイクの特徴点として眉メイクを行う。即ち、アイブローペンシルを使用してマークを繋いで眉の外形を描き、その内側を必要に応じて塗ったり、外形からはみ出る部分をカミソリや鋏等で切ったり、ブラッシングして眉形を整える。
【００３０】
こうして、一般人でも不自然感のないバランスのよい眉形に容易に眉メイクをすることが可能となる。
【００３１】
また、本発明の眉メイク方法としては、前述の眉メイクの特徴点のマークを、美容専門家にしてもらい、マークの位置を目盛り１６により記録しておき、後に、ユーザーが眉メイクをする際に、再度眉メイク補助具を装着し、記録したマークの位置を再現し、それを利用して眉メイクをしてもよい。
【００３２】
さらに、片方の眉について上述の方法によりマークし、他方の眉については、片方の眉について付したマークの目盛りの位置を参考にし、中心指示部１３を中心として、片方のマークと対象な位置をマークし、それを特徴点として眉メイクをしてもよい。これにより、左右対称の眉形を描くことができる。
【００３３】
図４は、本発明の異なる態様の眉メイク補助具１０Ｂの斜視図である。
【００３４】
この眉メイク補助具１０Ｂも帯状部材１１ｂと係止部材１２からなるが、この帯状部材１１ｂは図１に示した眉メイク補助具１０Ａの帯状部材１１に比して幅広に形成されており、顔面に被着したときの安定性が向上している。
【００３５】
また、眉頭下から眉山下の眉の下側ラインのテンプレートとなるガイド部１４が、スリット状の開口部１７の輪郭として形成されている。
【００３６】
帯状部材１１ｂを人の顔面に被着させた場合に、その人の眉山４の位置を顔面にマークできるようにする構成としては、複数のマーク用孔部１８が形成されている。
【００３７】
この眉メイク補助具１０Ｂを使用する眉メイク方法としては、まず、眉メイク補助具１０Ｂの中心指示部１３を、眉メイクをしようとするユーザーの眉間の中央線Ｌ2 上に合わせると共に、開口部１７の輪郭として形成されているガイド部１４をそのユーザーの眉頭下２に合わせて眉メイク補助具１０Ｂを顔面に被着させる。
【００３８】
次に、図５に示すように、眉頭下２から眉山下５にかけての眉の下側ラインとして、開口部１７の輪郭をアイブローペンシル等でなぞることによりマークする。あるいは、眉頭下２と、開口部１７内の眉山下５の双方に点をうつことにより開口部１７の輪郭をマークしてもよい。
【００３９】
眉メイクにおいて眉山４’とする位置や眉メイクにおいて眉尻７’とする位置は、マーク用孔部１８からアイブローペンシル等でなどでマークする。
【００４０】
こうしてマークを得た後は、これらを眉メイクの特徴点として前述と同様に眉メイクを行えばよい。
【００４１】
この他、本発明は種々の態様をとることができる。例えば、眉頭下から眉山下の眉の下側ラインのテンプレートとなるガイド部は、図１に示した眉メイク補助具１０Ａのように、帯状部材１１の下縁部の輪郭として形成し、また、帯状部材を人の顔面に被着させた状態で、その人の眉山の位置をマークできるようにする構成としては、図４に示した眉メイク補助具１０Ｂのように、マーク用孔部１８を設けてもよい。
【産業上の利用可能性】
【００４２】
本発明の眉メイク補助具及び眉メイク方法は、一般人が眉メイクのために使用する補助具乃至方法として有用である。
【図面の簡単な説明】
【００４３】
【図１】眉メイク補助具の斜視図である。
【図２】眉メイク補助具を人の顔面に被着させた状態の模式図である。
【図３】眉の下側ライン、眉山とする位置及び眉尻とする位置をマークする方法の説明図である。
【図４】異なる態様の眉メイク補助具の斜視図である。
【図５】眉の下側ライン、眉山とする位置及び眉尻とする位置をマークする方法の説明図である。
【符号の説明】
【００４４】
１    眉
２    眉頭下
３    眉間
４    眉山
４’  眉メイクにおける眉山
５    眉山下
６    眉の下側ライン
７    眉尻
７’  眉メイクにおける眉尻
１０Ａ、１０Ｂ  眉メイク補助具
１１、１１ｂ    帯状部材
１２    係止部材
１３    中心指示部
１４    ガイド部
１５    幅狭部
１６    目盛り
１７    開口部
１８    マーク用孔部
Ｌ1   眉山から下ろした線
Ｌ2   眉間の中央線
【図１】
2009028134.tif 000003
【図２】
2009028134.tif 000004
【図３】
2009028134.tif 000005
【図４】
2009028134.tif 000006
【図５】
2009028134.tif 000007